【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
(A)次の式(I)：
【化１】
2005509062.tif 000001
(式中：
Xは互いに同一または異なって、水素原子、ハロゲン原子またはR、OR、OR'O、OSO2CF3、OCOR、SR、NR2もしくはPR2 基(ここで、Rは、任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；そしてR'は、C1〜C20-アルキリデン、C6〜C20-アリーリデン、C7〜C20-アルキルアリーリデンまたはC7〜C20-アリールアルキリデン基である)であり；
pは、金属Mの酸化状態マイナス2に等しい、1または2であり；
R1は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；
R2とR3、およびR4とR5は、任意に元素周期表の13〜16族に属するヘテロ原子を含有し、好ましくはC1〜C10-アルキル基であるアルキル置換基を任意にもつ不飽和の5または6員環を形成し；
T1は、C(R6)3または
【化２】
2005509062.tif 000002
(ここで、Rは、任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；p1は0〜5の範囲であり；R6は互いに同一または異なって、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基である；但し少なくとも1つのR6は、水素原子ではない)であり；
T2は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；
T1およびT2は一緒に、任意に元素周期表の13〜16族に属するヘテロ原子を含有する、飽和もしくは不飽和の、置換されていてもよい5または6員の縮合環を形成し；
Lは、CR72、SiR72、(CR72)2および(SiR72)2基(ここで、R7は互いに同一または異なって、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；任意に2つのR7基は、好ましくはC1〜C10-アルキル基であるアルキル置換基をもつことができる、3〜8原子の脂肪族環を形成することもできる)からなる群より選択される二価の架橋原子団であり；
Mは、元素周期表(新IUPAC版)の3、4族またはランタニドもしくはアクチニド族に属するものから選択される遷移金属の原子である)
をもつメタロセン化合物；ならびに
(B) アルモキサンおよび／またはアルキルメタロセンカチオンを形成し得る化合物
を接触させることにより得ることができる触媒系の存在下に、1-ブテンを、任意に0〜30モル%のエチレン、プロピレンまたは式CH2=CHT (式中、TはC3〜C10アルキル基である)のαオレフィンと重合条件下に接触させることを含む、1-ブテンを重合する方法。
【請求項２】
触媒系が、成分(A)および(B)を：
(C) 有機アルミニウム化合物
とさらに接触させることにより得られる請求項1に記載の方法。
【請求項３】
メタロセンが、式 (II)：
【化３】
2005509062.tif 000003
[式中：
L、M、Xおよびpは、請求項1に記載の意味であり；
R13は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；
R9、R10、R11およびR12は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；R9、R10、R11およびR12は、アルキル置換基をもつことができ、任意に元素周期表の13〜16族に属するヘテロ原子を含有する、1つ以上の飽和もしくは不飽和の5または6員環を形成することもでき；
T3およびT4は、式 (IIa)または(IIb)：
【化４】
2005509062.tif 000004
(式中：
T3およびT4が式(IIa)の部分である場合、A1は2および5位のシクロペンタジエニル基に結合し；
T3およびT4が式 (IIb)の部分である場合、A1は3および4位のシクロペンタジエニル基に結合し；
A1は硫黄原子(S)、酸素原子(O)またはNR、PRもしくはCR15基(ここで、Rは、任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；そしてR15は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基である)であり；
R14は、水素原子、または任意に元素周期表の13〜17族に属するヘテロ原子を含有する、
線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基である)
の部分である]をもつ
請求項1または2のいずれか1項に記載の方法。
【請求項４】
メタロセンが、式 (III)：
【化５】
2005509062.tif 000005
[式中、
T3、T4、R13、M、X、pおよびLは、請求項1または3のいずれか1項に記載の意味を有し；
T5は、式 (IIIa)または(IIIb)：
【化６】
2005509062.tif 000006
(式中、
式(IIIa)の部分においてA2は5位のシクロペンタジエニル基に結合し；式(IIIb)の部分においてA3は4位のシクロペンタジエニル基に結合し；
A2は、硫黄原子(S)、酸素原子(O)またはCR15基(ここで、R15は請求項3に記載の意味を有
する)であり；R16は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；R17は、水素原子、または任意に元素周期表の13〜17族に属するヘテロ
原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；R17およびR16は、一緒に、好ましくはC1〜C10-アルキル基であるアルキル置換基をもつことができる、脂肪族もしくは芳香族の5または6員環を形成することができ；A3は、NR基またはCR15基(ここで、Rは、任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；そしてR15は、請求項3に記載の意味を有する)である)
の部分である]
をもつ、請求項1または2のいずれか1項に記載の方法。
【請求項５】
次の特性：
- (mmmm)＞90-2×rrであり；
- 固有粘度(I.V.) ＞ 0.45であり；
- 4,1挿入(レジオエラー)＜0.19%であり；そして
- 沸騰ジエチルエーテル中の抽出含量＜2%である；
(ここで、mmmmは、アイソタクチックのペンタッドの値であり、rrは、シンディオタクチ
ックのトライアッドの値である)
をもつ、1-ブテンホモポリマー。
【請求項６】
次の特性：
- アイソタクチックのペンタッド(mmmm)≧90%であり；
- 固有粘度(I.V.)＞0.45であり；
- 4,1挿入(レジオエラー)＜0.19%であり；そして
- 沸騰ジエチルエーテル中の抽出含量＜2%である
をもつ、1-ブテンホモポリマー。
【手続補正２】
【補正対象書類名】明細書
【補正対象項目名】００２３
【補正方法】変更
【補正の内容】
【００２３】
(式中、
式(IIIa)の部分においてA2は5位のシクロペンタジエニル基に結合し；式(IIIb)の部分においてA3は4位のシクロペンタジエニル基に結合し；
A2は、硫黄原子(S)、酸素原子(O)またはCR15基(ここで、R15は上記のように定義される)であり； A2は、好ましくは硫黄原子であり；
R16は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり； R16は、好ましくはC1〜C20-アルキル基であり； R16は、より好ましくはメチル基であり；R17は、水素原子、または任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；
R17およびR16は、一緒に、好ましくはC1〜C10-アルキル基であるアルキル置換基をもつことができる、脂肪族もしくは芳香族の5または6員環を形成することができ；
R17は、好ましくはC1〜C20-アルキルまたはC6〜C20-アルキルアリール基であり；R17は、より好ましくは1つ以上のC1〜C20-アルキル基で置換されているフェニル基であり；置換は、好ましくはフェニル環に関して2位または2および4位であり；
A3は、NR基またはCR15基(ここで、Rは、任意に元素周期表の13〜17族に属するヘテロ原子を含有する、線状もしくは分岐状で飽和もしくは不飽和のC1〜C20-アルキル、C3〜C20-シクロアルキル、C6〜C20-アリール、C7〜C20-アルキルアリールまたはC7〜C20-アリールアルキル基であり；R15は、上記のように定義されている)であり；A3は、好ましくはNR基であり；A3は、より好ましくはN-メチルまたはN-フェニル基である)
の部分である]
をもつ。